(57)【要約】      （修正有）【課題】放射能汚染物仮置き場確保を容易にする。【解決手段】移動可能なコンテナに放射能漏洩防止機能を付け、監視カメラ、放射能測定機で２４時間監視することで、住民の不安を払しょくして放射能汚染物仮置き場確保を容易にする。またコンテナ船に搭載し保管する事も可能で仮置き場設置場所が広がり放射能除染促進が期待できる。【選択図】図１
2013127439.tif 000002
【特許請求の範囲】
【請求項１】
コンテナは放射能漏えい防止機能素材で内装されている構造を有する。
【請求項２】
コンテナ内装材は放射能汚染物重量に十分耐えうる素材、床材を使用する。壁、天井材は軽量化のため放射能漏えい防止機能のある、アルミ材単体で使うのは任意である。
【請求項３】
内装材は放射能漏えい防止機能、軽量、コンテナ材容積確保のため、バイオブラスチックでアルミ板、プラスチック板をサンドイッチ構造、４層にするのが望ましい。バイオブラスチックの厚さ１００ｍｍアルミ板５０ｍｍ、プラスチック板１００ｍｍが望ましい。
【請求項４】
荷物重量のかからない壁、天井はアルミ板５０ｍｍ、プラスチック板１００ｍｍ２層にするのは任意である。
【請求項５】
バイオブラスチックでアルミ板、プラスチック板をサンドイッチ構造作成は層と層との間に隙間のない構造にするため３０年間接着機能低下しない接着剤を使用する。補強のためボルトを使用するのは任意である。
【請求項６】
ボルト使用の際、ボルト隙間から放射能漏れ防止のため放射能防止機能のあるシールド材で補強する事を特徴とする。シールド材は個体、液体を問わない。
【請求項７】
床材と壁材、壁材と天井材、接着部分は、３０年間接着機能低下しない接着剤を使用する。補強のためボルトを使用するのは任意である。
【請求項８】
床材と壁材、壁材と天井材、接着部分の隙間にシールド加工して密閉度を高める事を特徴とするコンテナである。
【請求項９】
荷崩れおよび放射能漏えい防止機能を有するアルミ材等の戸棚もしくはラック方式に放射能汚染物を入れたフレコンバック、容器、袋は放射能漏えい防止素材且つ密閉度のある構造を有する物を、放射能漏えい防止機能を有するコンテナに入れる事を特徴とする。
【請求項１０】
コンテナ内は温度、湿度、空気清浄度を一定に保つエアコン、空気清浄機を設置し、コンテナ内外を２４時間監視カメラ、放射能測定器を設置、２４時間監視する機能を有し、中央管理が出来る事が特徴とするコンテナである。
【請求項１１】
放射能がコンテナより漏れた場合、中央管理所より、漏えい場所を短時間で修理出来る管理体制を有する事を特徴とするコンテナである。
【請求項１２】
コンテナの大きさは国際統一基準に準じ、コンテナ船に搭載出来る形状、機能を持つのが好ましい。
【請求項１３】
コンテナを置き場所は陸上、コンテナ船等船舶を問わない。船舶に置く場合係留、もしくは航行の決定法は経済性、天候をかんがみ決定する。
【発明の詳細な説明】
【技術分野】
【０００１】本発明は、福島原子力発電所事故により原子炉から大量のセシウム、ストロンチュームなど放射性物質が微粒子となり、広い範囲の土壌、森林、農地、牧草地、果樹園、東日本大震災で発生したガレキ、道路、公園、排水溝等の泥、企業、個人の建物などを放射能汚染させた結果、大量の放射能汚染物、放射能汚染水が排出され、また放射能汚染物を焼却することで、放射性物質が濃縮、高いレベルの放射能を発生する焼却灰が大量に排出され続けている。放射能除染は急務であるが、除染した放射能汚染物保管場所確保が近隣住民の反対で放射能汚染物保管場所確保が困難である。そのため放射能除染自体が進まなくなっている。本発明は住民の反対で放射能汚染物保管場所確保が困難な実情の解決策として移動可能の海上もしくは陸上コンテナを放射能防止機能を付け、放射能汚染物を入れたコンテナを中央集中管理する管理方法を提供するものである。
【背景技術】
【０００２】放射能汚染土壌の表面の、土をはぎ取る工事は良く行なわれているが、はぎ取った土の保管場所が決まっていない。【０００３】樹木、落ち葉、草、農作物など放射能汚染植物を伐採等で収集、フレコンバックに入れているが、放射能汚染植物を入れたフレコンバックの保管場所が決まっていない。【０００４】建物、アスファルトを敷いた道路等を高圧洗浄機で除染しているが、除染した放射能汚染水の保管場所が決まっていない。【０００５】東日本大震災で発生した放射能汚染ガレキの保管場所が決まっていない。【０００６】放射能汚染物を高温で焼却した結果、放射性物質が濃縮され、高濃度放射能を発生する焼却灰が出続けている。焼却場で厳重に管理されているが保管場所が無くなりつつある。【０００７】放射能汚染物質減容化は必須要件である。放射能汚染土壌を蒸気洗浄し、放射性物質を蒸気に移行させ放射能汚染水技術は確立している。放射能汚染植物等や木質系ガレキ、セルロース由来紙製品、繊維はエタノール工程でエタノールと放射能汚染水に分離する技術は確立している。【０００８】放射能汚染物減容化で使用される粉砕機等より発生する放射能粉じんを集塵し、放射能粉じんから放射性物質を除去する装置はある。【０００９】空気中飛散している放射能汚染粉じんを浄化する空気清浄機はある。【００１０】高濃度放射能汚染水にシアン化鉄など放射性物質を吸着する機能を持つ物質を入れ、当該物質に放射性物質を吸着させる事により沈澱させる。沈殿物回収後の放射能汚染水の放射能濃度は低濃度となり、再利用可能となる。本技術はフランスアレバ社を始め、東京工業大などが技術を確立させている。【００１１】放射能汚染蒸気から放射性物質を選択的に捕集して、蒸気から放射性物質除去するフィルターがある。
【先行技術文献】
【特許文献１】  特許出願平１０−６３６９３
【特許文献２】  特願  ２００６−２９０３７６
【特許文献３】  特願  ２０１１−１３８９１４
【特許文献４】  特願  ２０１１−１６２５５７
【特許文献５】  特願  ２０１１−１６４８２０
【特許文献６】  特許出願  ２００７−９０４２１
【発明の概要】
【発明が解決しようとしている課題】
【００１２】原子力発電所事故で原子炉よりセシウムなど放射性物質が微粒子となり大量に飛散、広範囲の土壌、森林、農地、牧草地、果樹園、東日本大震災で発生したガレキ、道路、公園、排水溝等の泥等、企業、個人の建物などを放射能汚染させた。また焼却灰から高濃度放射能を発生している。
【００１３】放射能汚染土壌、農地、排水溝等の泥等、ガレキ、焼却灰から蒸気を使い、放射性物質を水に移行させる事で取り除く技術は確立している。
【００１４】放射能汚染水から放射性物質を回収技術も確立している。しかし、放射能汚染水から回収した放射性物質が放射能廃棄物として残る。
【００１５】放射能汚染水から回収した放射性物質が放射能廃棄物を無害化する技術は、いまだ確立していない。
【００１６】放射能除染、減容化技術は確立しているが、土壌除染で出る放射能汚染土壌だけでも東京ドーム何十個分と言われており、除染時間がかかる。その他、放射能汚染物を合わせると膨大な量となる。その間放射能汚染物を放置しておくと、放射能汚染物が飛散、腐敗などで二次被害を起こす可能性がある。
【００１７】土壌、森林、農地、牧草地、果樹園、東日本大震災で発生したガレキ、道路、公園、排水溝等の泥等、企業、個人の建物など洗浄した放射能汚染水、焼却灰などを、除染で出た、放射能汚染物仮置き場を作り、３０年間保管する案が政府で検討されているが、放射能汚染物から放射能が漏えいしない構築物建設は時間と多大な費用がかかり、維持、管理費用もかかる。
【００１８】放射能汚染物を仮置き場までの輸送費用はかかり、放射能汚染物発生場所で収集、輸送、仮置き場搬入時、放射性含有粉じんが発生し、周辺環境汚染する可能性がある。
【００１９】放射能汚染物仮置き場設置に近隣住民の反対で、仮置き場の場所が決まらないのが実情。仮置き場が無いので、除染作業が出来ない状態である。
【００２０】放射能汚染物減容化は時間がかかり、放射能が漏えいしない構築物建設は時間と多大な費用、維持、管理費用がかかり。更に放射能汚染物を仮置き場までの輸送費用もかかる。
【００２１】放射能汚染物発生場所で収集、輸送、仮置き場搬入時、放射性含有粉じんが発生し、周辺環境汚染する可能性がある。
【発明が解決するための手段】
【００２２】放射能汚染物仮置き場の諸問題解決手段として海上輸送で使われているコンテナに放射能が漏れない素材で装備し、コンテナを移動可能放射能汚染物質仮置き場とする。
【００２３】コンテナは３０年間錆等で腐食しない保証のある塗装をして、コンテナのメンテナンスもしくはコンテナ腐食等で交換なきようにする。
【００２４】コンテナは移動可能な特性を生かし、放射能汚染物発生場所に移動させ、発生場所で放射能汚染物をコンテナに入れる時、放射能汚染物から発生する放射能粉じん等飛散による二次汚染を最小限にし、且つ輸送中放射能粉じん等飛散防止して、放射能汚染物を入れたコンテナ置き場まで輸送。輸送費用を従来の輸送費用より大幅削減を可能にする。
【００２５】コンテナに入れる容器は放射能漏洩防止アルミ加工フレコンバック、放射能漏洩しなく、破損の少ない合成樹脂容器、袋を使用する。
【００２６】コンテナ内でフレコンバック、容器、袋の荷崩れ防止のため、放射能を漏洩しない数ｍｍ以上厚みのある、アルミ製戸棚等に入れる。
【００２７】アルミ製戸棚等をボルトでコンテナ床と固定する。
【００２８】放射能漏洩防止内装したコンテナ、放射能漏洩防止フレコンバック等容器、アルミ製戸棚等三重で大気に放射性物質がコンテナ外に出る事を防ぐ。
【００２９】近隣住民放射能漏れ不安解消のためコンテナ内外に監視カメラ、放射能測定機を設置、ＩＴ技術を用い、コンテナ内外映像、放射能濃度データをサーバーに入れ、中央集中管理する。
【００３０】数百個、数千個、数万個のコンテナ管理はクラウドを使い、対応する。
【００３１】監視カメラ、放射能想定機で２４時間コンテナ内外を監視し、万が一コンテナから放射能漏れが起こった場合、中央集中管理室よりコンテナ監視員の携帯電話等に連絡、コンテナ監視員が放射能漏れを防止する。
【００３２】放射能汚染物を入れたコンテナは、陸上、コンテナ船など船上を問わない。
【００３３】コンテナ船等は、係留、航行を問わない。係留の場合、台風等接近した場合速やかに安全な場所に移動させる。
【発明の効果】
【００３４】上記述べた通り、近隣住民の反対で放射能汚染物仮置き場設置が困難であるが、移動可能で、放射能汚染物を入れたコンテナを監視カメラ、放射能測定器で放射能漏えいを２４時間監視することで、住民の不安を払拭することで、放射能汚染物を入れたコンテナの設置場所が容易に確保できる。またコンテナ船等で放射能汚染物を保管すると、雇用増大が見込まれる。
【図面の簡単な説明】
【００３５】
【図１】  放射能漏洩防止機能素材で内装したコンテナ全体図
【図２】  放射能漏洩防止機能素材の断面図
【図３】  コンテナ集中管理方法イラスト図
【発明を実施するための形態】
【００３６】以下、本発明の形態を図１〜図３に基づいて説明する。
【００３７】３０年間放射能汚染物を仮置き場で保管するのが、国の方針。従ってコンテナは３０年間腐食、錆ない事が求められるので３０年間コンテナ素材が腐食、錆等で破損しない塗料で塗装をする。
【００３８】コンテナで放射能汚染物を３０年間保管するので、保管期間中放射能を漏らさない素材のアルミ板、プラスチック板を床材として使用実績のあるバイオプラスでサンドイッチ構造として、強度を保ち、放射能漏れのない床材、壁材、天井材を作る。
【００３９】床材、壁材、天井材は角に切り込みを入れ隙間の内接着とする。角は放射能漏洩防止シールド材を貼る。
【００４０】外気温度差で放射能残渣物から放射能含有水分が出る、結露するのを防ぐため、温度、湿度、空気清浄度を一定に保つためエアコン、空気清浄機を設置する。
【００４１】放射能汚染物はフレコンバック等をアルミ製収納庫に入れ、収納庫をコンテナに入れる。但し、放射能汚染物形状、汚染濃度が低い場合、収納庫に入れる事なく、コンテナに入れるのは任意である。
【００４２】コンテナ内外に監視カメラ、放射能測定機を設置。情報をインターネット回線等を使い、サーバーに入れ、サーバーより各中央管理パソコンへ入れる事を特徴とする。
【００４３】中央管理パンコンは２４時間監視し、コンテナより放射能漏れ等不具合が発生すると、不具合を発生した中央管理所より不具合が発生したコンテナに１番近いコンテナ保守要員に連絡。コンテナ保守要員が速やかに放射能漏洩等修繕を行う事を特徴とする。
【符号の説明】
【００４４】１  コンテナ本体
２  室内放射能汚染管理
３  監視カメラ
４  清浄空気排出口
５  放射能検知センサー
６  放射能廃棄物収納庫
７  空気清浄機
８  エアコン
９  自家発電機ｏｒ電気
１０  ３０年腐食防止塗料
１１  放射能漏洩防止材
１２  コンテナ１
１３  サーバー
１４  中央管理パソコン
１５  コンテナ保守要員
【図１】
2013127439.tif 000003
【図２】
2013127439.tif 000004
【図３】
2013127439.tif 000005